(57)【特許請求の範囲】
【請求項１】
側面部と、
前記側面部の上端から左右方向に連続した上面部と、
前記上面部よりも下方に位置した下方支持部と、
前記上面部の前後方向における中央部と連続し、左右方向において前記上面部が前記側面部に対して連続している方向に突出する保護板支持部と、
前記保護板支持部の前後方向における中央部と連続し、左右方向において前記保護板支持部の突出方向と同じ方向に突出する保護板と、
を備えたホルダ。
【請求項２】
板紙を罫線に沿って屈曲させることにより組み立てられたホルダであって、
前記保護板支持部は、前記板紙のうち前記側面部の前後方向における中央部に相当する部分を折り返して形成され、
前記保護板は、前記板紙のうち前記保護板支持部の前後方向における中央部に相当する部分を折り返して形成された請求項１に記載のホルダ。
【請求項３】
前記保護板支持部は、前記側面部と前記上面部との境界で前記上面部と連続し、前記板紙を前記境界に沿って折り返して形成された請求項２に記載のホルダ。
【請求項４】
一対の天外フラップを備えた外箱と、
前記外箱の内部に配置された一対の請求項１から３のいずれか１項に記載のホルダと、
を備え、
一対の前記ホルダは、第１ホルダ及び第２ホルダであり、
前記第１ホルダは、前記側面部が前記外箱の右側の内壁に接するように配置され、
前記第２ホルダは、前記側面部が前記外箱の左側の内壁に接するように配置され、
前記第１ホルダの前記保護板及び前記第２ホルダの前記保護板は、前記天外フラップの突合せ部の真下に位置している包装体。
【請求項５】
前記第１ホルダの前記保護板は、前記第２ホルダの前記保護板と接している請求項４に記載の包装体。
【請求項６】
請求項４又は５に記載の包装体と、
前記包装体により包装された電気機器と、
を備えた電気機器包装体。
【発明の詳細な説明】
【技術分野】
【０００１】
本発明は、ホルダ、包装体及び電気機器包装体に関するものである。
【背景技術】
【０００２】
下記特許文献１には、被包装物を支持するためのホルダが記載されている。このホルダは、被包装物を収納する外箱の内部に配置される。被包装物は、ホルダ及び外箱を備える包装体で包装される。
【先行技術文献】
【特許文献】
【０００３】
【特許文献１】実公昭６１−１５００７号公報
【発明の概要】
【発明が解決しようとする課題】
【０００４】
包装体を開梱する際には、一般にカッターナイフ等を用いて外箱の天部が開かれる。特許文献１に記載のホルダでは、包装体の開梱作業においてカッターナイフ等により被包装物が損傷することを防止できない。
【０００５】
本発明は、上記の課題を解決するためになされた。その目的は、包装体の開梱作業における被包装物の損傷を防止するホルダを提供することである。また、他の目的は、上記包装体を備えた電気機器包装体を提供することである。
【課題を解決するための手段】
【０００６】
本発明に係るホルダは、側面部と、側面部の上端から左右方向に連続した上面部と、上面部よりも下方に位置した下方支持部と、上面部の前後方向における中央部と連続し、左右方向において上面部が側面部に対して連続している方向に突出する保護板支持部と、保護板支持部の前後方向における中央部と連続し、左右方向において保護板支持部の突出方向と同じ方向に突出する保護板と、を備えたものである。
【０００７】
本発明に係る包装体は、天部を形成する一対の天外フラップを備えた外箱と、外箱の内部に配置された一対の上記ホルダと、を備え、一対の上記ホルダは、第１ホルダ及び第２ホルダであり、第１ホルダは、側面部が外箱の右側の内壁に接するように配置され、第２ホルダは、側面部が外箱の左側の内壁に接するように配置され、第１ホルダの保護板の先端は、第２ホルダの保護板の先端と接し、第１ホルダの保護板及び第２ホルダの保護板は、天外フラップの突合せ部の真下に位置しているものである。
【０００８】
本発明に係る電気機器包装体は、上記包装体と、上記包装体により包装された電気機器と、を備えたものである。
【発明の効果】
【０００９】
本発明によれば、ホルダが保護板支持部及び保護板を備えるため、包装体の開梱作業における被包装物の損傷を防止することができる。
【図面の簡単な説明】
【００１０】
【図１】本発明の実施の形態１における包装体で被包装物を包装する際の斜視図である。
【図２】本発明の実施の形態１におけるホルダの斜視図である。
【図３】本発明の実施の形態１におけるホルダの他の斜視図である。
【図４】本発明の実施の形態１におけるホルダの型抜き展開図である。
【図５】本発明の実施の形態１におけるホルダの型抜き展開図の中央付近の拡大図である。
【図６】本発明の実施の形態１におけるホルダの保護板支持部を上方に折り返した状態を示す斜視図である。
【図７】本発明の実施の形態１におけるホルダの保護板支持部及び保護板を左右方向に折り返した状態を示す斜視図である。
【図８】本発明の実施の形態１における包装体で被包装物を包装した状態におけるホルダと被包装物との位置関係を示した斜視図である。
【図９】本発明の実施の形態１におけるホルダの保護板支持部及び保護板を左右方向に折り返した状態の他の例を示す斜視図である。
【発明を実施するための形態】
【００１１】
添付の図面を参照して、本発明を詳細に説明する。各図では、同一又は相当する部分に同一の符号を付している。重複する説明は、適宜簡略化あるいは省略する。
【００１２】
実施の形態１．
図１は、本実施の形態における包装体で被包装物を包装する際の斜視図である。本明細書では、特に断りがない限り、図１における前、後、左、右を示す矢印に基づいて方向を指定する。
【００１３】
図１では、被包装物として換気空清機１を例示している。換気空清機１は、前方から見た場合に略長方形となるように形成されている。以下、包装体による換気空清機１の包装作業の手順について説明する。
【００１４】
包装体は、一対のホルダ２を備えている。ホルダ２は、１枚の板紙を型抜きして屈曲することにより一体形成される。ホルダ２は、換気空清機１を包装する際に組み立てられる。ホルダ２は、保護板支持部２５１及び保護板２５２を備えている。
【００１５】
包装体は、外箱３を備えている。外箱３は、胴部３ａ、一対の底内フラップ３ｂ、一対の底外フラップ３ｃ、一対の天内フラップ３ｄ及び一対の天外フラップ３ｅを備えている。外箱３の底部は、一対の底内フラップ３ｂが内側に折り込まれた後に、一対の底外フラップ３ｃが内側に折り込まれることにより形成される。このとき、一対の底外フラップ３ｃの先端同士が突合わされた状態となる。この状態で、一対の底外フラップ３ｃの突合せ部が粘着テープ等で閉じられる。
【００１６】
左右一対のホルダ２は、保護板支持部２５１が上方に突出された状態で、外箱３の胴部３ａの内部に配置される。左側のホルダ２は、胴部３ａの左側の内壁に接するように外箱３の内部に配置される。右側のホルダ２は、胴部３ａの右側の内壁に接するように外箱３の内部に配置される。
【００１７】
換気空清機１は、保護シート４で被われる。保護シート４で被われた換気空清機１は、左右一対のホルダ２の間に上方から挿入されるように載置される。左側のホルダ２は、換気空清機１の底面、前面、後面及び左側面に接する。右側のホルダ２は、換気空清機１の底面、前面、後面及び右側面に接する。こうして、換気空清機１は、左右一対のホルダ２により支持固定されるとともに、外箱３の胴部３ａの内部に収納される。外箱３の胴部３ａの内部に収納された換気空清機１の上面には、取扱説明書５が載置される。取扱説明書５は、保護シート５ａで被われている。
【００１８】
取扱説明書５が載置された後、左右一対のホルダ２の保護板支持部２５１及び保護板２５２は、換気空清機１の上面に近づくように屈曲される。保護板支持部２５１及び保護板２５２が屈曲された後、一対の天内フラップ３ｄが内側に折り込まれる。次いで、一対の天外フラップ３ｅが内側に折り込まれることにより、外箱３の天部が形成される。このとき、一対の天外フラップ３ｅの先端同士が突合わされた状態となる。この状態で、天外フラップ３ｅの突合せ部が粘着テープ等で閉じられる。これにより、換気空清機１の包装作業が完了する。
【００１９】
図２は、本実施の形態におけるホルダ２の斜視図である。図２は、図１における左右一対のホルダ２のうち、左側のホルダ２を示している。
【００２０】
ホルダ２は、第１の垂直部２０１、下方支持部２０２、第２の垂直部２０３及び底面部２０４を備えている。下方支持部２０２は、左端で第１の垂直部２０１の上端と直角をなして連続している。第２の垂直部２０３は、上端で下方支持部２０２の右端と直角をなして連続している。つまり、下方支持部２０２は、第１の垂直部２０１の上端と第２の垂直部２０３の上端とを繋ぐように形成されている。第２の垂直部２０３の高さは、第１の垂直部２０１と等しくなるように設定されている。第２の垂直部２０３の左側は、第１の垂直部２０１の右側と平行に対向している。底面部２０４は、右端で第２の垂直部２０３の下端と直角をなして連続している。底面部２０４は、下方支持部２０２と平行に対向している。第１の垂直部２０１の下端は、底面部２０４に垂直に接している。第１の垂直部２０１及び第２の垂直部２０３は、下方支持部２０２を上下方向に支持している。このように、第１の垂直部２０１、下方支持部２０２、第２の垂直部２０３及び底面部２０４は、断面が直方体の第１の角筒を形成している。
【００２１】
ホルダ２は、側面部２０５、上面部２０６、第１の上面突出部２０６ａ及び第２の上面突出部２０６ｂを備えている。側面部２０５は、高さが第１の垂直部２０１よりも大きく形成されている。側面部２０５は、下端で底面部２０４の左端と直角をなして連続している。側面部２０５は、第１の垂直部２０１の左側と重なるように接している。上面部２０６は、左端で側面部２０５の上端と直角をなして連続している。つまり、上面部２０６は、側面部２０５の上端から右方に形成されている。第１の上面突出部２０６ａ及び第２の上面突出部２０６ｂは、上面部２０６の右端の前後方向における両端部から右方に突出している。このため、上面部２０６、第１の上面突出部２０６ａ及び第２の上面突出部２０６ｂは、長方形の前後方向における中央部の右側がくり抜かれたような形に形成されている。上面部２０６、第１の上面突出部２０６ａ及び第２の上面突出部２０６ｂは、底面部２０４と平行である。上面部２０６、第１の上面突出部２０６ａ及び第２の上面突出部２０６ｂは、下方支持部２０２と平行に対向している。
【００２２】
ホルダ２は、第１の内壁２０７ａ、第２の内壁２０７ｂ及び内壁下部２０８を備えている。第１の内壁２０７ａは、上端で第１の上面突出部２０６ａの右端と直角をなして連続している。つまり、第１の内壁２０７ａは、第１の上面突出部２０６ａの右端から下方に連続している。第２の内壁２０７ｂは、上端で第２の上面突出部２０６ｂの右端と直角をなして連続している。つまり、第２の内壁２０７ｂは、第２の上面突出部２０６ｂの右端から下方に連続している。第１の内壁２０７ａ及び第２の内壁２０７ｂは、側面部２０５と平行に対向している。内壁下部２０８は、前後方向における両端部で第１の内壁２０７ａ及び第２の内壁２０７ｂと連続している。内壁下部２０８は、第２の垂直部２０３の右側と重なるように接している。内壁下部２０８は、上端が下方支持部２０２と同一平面上に位置するように形成されている。内壁下部２０８は、下端が底面部２０４と同一平面上に位置するように形成されている。つまり、内壁下部２０８の高さは、第１の垂直部２０１及び第２の垂直部２０３と等しくなるように設定されている。このように、底面部２０４、側面部２０５、上面部２０６、第１の上面突出部２０６ａ、第２の上面突出部２０６ｂ、第１の内壁２０７ａ、第２の内壁２０７ｂ及び内壁下部２０８は、断面が直方体の第２の角筒を形成している。
【００２３】
ホルダ２は、側方支持部２０９及び水平受け部２１０を備えている。側方支持部２０９は、上端で上面部２０６の右端と直角をなして連続している。つまり、側方支持部２０９は、上面部２０６の右端から下方に連続している。側方支持部２０９は、上下方向から見ると、第１の上面突出部２０６ａと第２の上面突出部２０６ｂとの間に形成されている。側方支持部２０９は、側面部２０５と平行に対向している。水平受け部２１０は、右端で側方支持部２０９の下端と直角をなして連続している。水平受け部２１０は、底面部２０４と平行である。水平受け部２１０は、上面部２０６と平行に対向している。水平受け部２１０は、上方から重なるように下方支持部２０２と接している。水平受け部２１０の左端は、側面部２０５に垂直に接している。このように、側方支持部２０９及び水平受け部２１０は、断面形状がＬ字状の構造体を形成している。
【００２４】
図３は、本実施の形態におけるホルダ２の他の斜視図である。図３は、図１における左右一対のホルダ２のうち、右側のホルダ２を示している。
【００２５】
保護板支持部２５１は、第１のＵ字状部位として形成されている。保護板支持部２５１は、板紙のうち、側面部２０５の前後方向における中央部に相当する部分から形成されている。保護板支持部２５１は、板紙のうち、側面部２０５の上端から下端付近までに相当する部分から形成されている。保護板支持部２５１は、上面部２０６の前後方向における中央部と連続している。保護板支持部２５１は、側面部２０５と上面部２０６との境界で上面部２０６と連続している。保護板支持部２５１と上面部２０６とが連続した部位には、複数の係止板２５３が設けられている。本実施の形態では、係止板２５３は、２つ設けられている。保護板支持部２５１の先端は、係止板２５３が設けられた部位の反対側に位置している。
【００２６】
保護板２５２は、第２のＵ字状部位として形成されている。第２のＵ字状部位は、第１のＵ字状部位よりも小さく形成されている。保護板２５２は、板紙のうち、保護板支持部２５１の前後方向における中央部に相当する部分から形成されている。保護板２５２は、板紙のうち、保護板支持部２５１の先端付近から係止板２５３付近までに相当する部分から形成されている。保護板２５２は、保護板支持部２５１の先端付近で保護板支持部２５１と連続している。保護板２５２と保護板支持部２５１とが連続した部位には、複数の係止板２５４が設けられている。本実施の形態では、係止板２５４は、２つ設けられている。保護板２５２の先端は、係止板２５４が設けられた部位の反対側に位置している。
【００２７】
側面部２０５は、抜き穴２５５を備えている。抜き穴２５５は、側面部２０５を左右方向に貫通して形成されている。抜き穴２５５は、側面部２０５において、第１のＵ字状部位の先端付近に位置している。抜き穴２５５は、半円状に形成されている。抜き穴２５５は、直線部分が第１のＵ字状部位の前端に沿うように形成されている。
【００２８】
側面部２０５は、突起２５６を備えている。突起２５６は、側面部２０５の前端及び後端の上部に設けられている。２つの突起２５６は、同じ高さに設けられている。側面部２０５の前端の突起２５６は、側面部２０５の前端よりも前方に出っ張って形成されている。側面部２０５の後端の突起２５６は、側面部２０５の後端よりも後方に出っ張って形成されている。
【００２９】
図４は、本実施の形態におけるホルダ２の型抜き展開図である。以下、ホルダ２の組み立てについて説明する。
【００３０】
図４に示すように、底面部２０４と第２の垂直部２０３との境界に沿ってスリット２１１が形成されている。スリット２１１は、図２に示す第２の垂直部２０３の立ち上がり部に形成されている。スリット２１１は、図２に示す第２の垂直部２０３の下端に沿って形成されている。スリット２１１は、前後方向における中央部に位置している。図４に示すように、内壁下部２０８には、差込部２１２が設けられている。差込部２１２は、図２に示す内壁下部２０８の下端に設けられている。差込部２１２は、前後方向における中央部に位置している。
【００３１】
図４に示すように、第１の上面突出部２０６ａ及び第１の内壁２０７ａと側方支持部２０９との境界には、切り込み２１３ａが形成されている。第２の上面突出部２０６ｂ及び第２の内壁２０７ｂと側方支持部２０９との境界には、切り込み２１３ｂが形成されている。水平受け部２１０と内壁下部２０８との間には、間隙が形成されている。
【００３２】
図４に示すように、底面部２０４と第２の垂直部２０３との境界には、谷折り罫線２２１が形成されている。第２の垂直部２０３と下方支持部２０２との境界には、谷折り罫線２２２が形成されている。下方支持部２０２と第１の垂直部２０１との境界には、谷折り罫線２２３が形成されている。底面部２０４と側面部２０５との境界には、谷折り罫線２２４が形成されている。側面部２０５と上面部２０６との境界には、谷折り罫線２２５が形成されている。第１の上面突出部２０６ａと第１の内壁２０７ａとの境界には、谷折り罫線２２６ａが形成されている。第２の上面突出部２０６ｂと第２の内壁２０７ｂとの境界には、谷折り罫線２２６ｂが形成されている。上面部２０６と側方支持部２０９との境界には、谷折り罫線２２７が形成されている。側方支持部２０９と水平受け部２１０との境界には、谷折り罫線２２８が形成されている。内壁下部２０８と差込部２１２との境界には、谷折り罫線２２９が形成されている。
【００３３】
下方支持部２０２には、矩形スリット２６１が形成されている。矩形スリット２６１は、前後方向における中央部に位置している。側方支持部２０９には、差込部２６２が設けられている。差込部２６２は、谷折り罫線２２８の前後方向における中央付近に位置している。突起２５６は、谷折り罫線２２５の付近に設けられている。
【００３４】
側面部２０５と保護板支持部２５１との境界には、第１のＵ字状切り込み２７１が形成されている。つまり、第１のＵ字状切り込み２７１の内側に保護板支持部２５１が形成されている。第１のＵ字状切り込み２７１の両端は、谷折り罫線２２５上に位置している。第１のＵ字状切り込み２７１の両端は、谷折り罫線２２５と直交している。保護板支持部２５１と保護板２５２との境界には、第２のＵ字状切り込み２７２が形成されている。つまり、第２のＵ字状切り込み２７２の内側に保護板２５２が形成されている。
【００３５】
図５は、本実施の形態におけるホルダ２の型抜き展開図の中央付近の拡大図である。図５は、図４の中央付近を拡大して示したものである。
【００３６】
係止板２５３は、谷折り罫線２２５が通る位置に形成されている。係止板２５３において、谷折り罫線２２５の左右両側には、谷折り罫線２２５に平行な罫線が１つずつ形成されている。前後方向において、第１のＵ字状切り込み２７１の両端の間の範囲には、切り込み２７３、複数の切り込み２７４及び複数の切り込み２７５が形成されている。切り込み２７３及び切り込み２７４は、谷折り罫線２２５上に形成されている。つまり、切り込み２７３及び切り込み２７４は、保護板支持部２５１と上面部２０６との境界に形成されている。切り込み２７３は、２つの係止板２５３の間に形成されている。切り込み２７４は、第１のＵ字状切り込み２７１の端部と係止板２５３との間に形成されている。切り込み２７４は、第１のＵ字状切り込み２７１と繋がっている。本実施の形態では、切り込み２７４は、２つ形成されている。切り込み２７５は、谷折り罫線２２５と直交するように形成されている。切り込み２７５は、保護板支持部２５１及び上面部２０６にまたがって形成されている。本実施の形態では、切り込み２７５は、４つ形成されている。切り込み２７５のうち２つは、切り込み２７３の両端と直交している。切り込み２７５のうち他の２つは、切り込み２７４の係止板２５３側の端部と直交している。切り込み２７３、切り込み２７４及び切り込み２７５が形成されることにより、係止板２５３が形成されている。保護板支持部２５１は、係止板２５３を介して上面部２０６と連続している。
【００３７】
第２のＵ字状切り込み２７２の両端の間には、前後方向に沿って谷折り罫線２７６が形成されている。係止板２５４は、谷折り罫線２７６が通る位置に形成されている。係止板２５４において、谷折り罫線２７６の左右両側には、谷折り罫線２７６に平行な罫線が１つずつ形成されている。前後方向において、第２のＵ字状切り込み２７２の両端の間の範囲には、切り込み２７７、複数の切り込み２７８及び複数の切り込み２７９が形成されている。切り込み２７７及び切り込み２７８は、谷折り罫線２７６上に形成されている。切り込み２７７は、２つの係止板２５４の間に形成されている。切り込み２７８は、第２のＵ字状切り込み２７２の端部と係止板２５４との間に形成されている。切り込み２７８は、第２のＵ字状切り込み２７２と繋がっている。本実施の形態では、切り込み２７８は、２つ形成されている。切り込み２７９は、谷折り罫線２７６と直交するように形成されている。切り込み２７９は、保護板２５２及び保護板支持部２５１にまたがって形成されている。本実施の形態では、切り込み２７９は、４つ形成されている。切り込み２７９のうち２つは、切り込み２７７の両端と直交している。切り込み２７９のうち他の２つは、切り込み２７７の係止板２５４側の端部と直交している。切り込み２７７、切り込み２７８及び切り込み２７９が形成されることにより、係止板２５４が形成されている。保護板２５２は、係止板２５４を介して保護板支持部２５１と連続している。
【００３８】
側面部２０５には、半円状の切り込み２８０が形成されている。切り込み２８０の両端は、第１のＵ字状切り込み２７１と繋がっている。抜き穴２５５は、切り込み２８０及び第１のＵ字状切り込み２７１に囲まれた部分を板紙から取り除くことで形成される。
【００３９】
板紙を谷折り罫線２２１、２２２及び２２３に沿って順次内側に直角に屈曲させると、第１の角筒が形成される。第１の角筒が形成された後に、板紙を谷折り罫線２２４、２２５、２２６ａ及び２２６ｂに沿って順次内側に直角に屈曲させると、第２の角筒が形成される。差込部２１２は、谷折り罫線２２９に沿って内側に直角に屈曲された後、スリット２１１に差し込まれる。これにより、内壁下部２０８が第１の角筒に固定される。板紙を谷折り罫線２２７及び２２８に沿って内側に直角に屈曲させると、Ｌ字状の構造体が形成される。差込部２６２は、ホルダ２が立体的に組み立てられる際に、矩形スリット２６１に差し込まれる。これにより、側方支持部２０９が下方支持部２０２に固定される。このようにして、図２及び図３に示す立体的なホルダ２が組み立てられる。
【００４０】
図６は、本実施の形態におけるホルダ２の保護板支持部２５１を上方に折り返した状態を示す斜視図である。図７は、本実施の形態におけるホルダ２の保護板支持部２５１及び保護板２５２を左右方向に折り返した状態を示す斜視図である。
【００４１】
図３に示す状態で、抜き穴２５５に指を差し入れて保護板支持部２５１の先端付近を右側に引くと、保護板支持部２５１が側面部２０５の右側に引き出される。保護板支持部２５１は、係止板２５３を支点にして回転するように上方に持ち上げられる。保護板支持部２５１は、側面部２０５と平行になるまで上方に持ち上げられる。その結果、保護板支持部２５１は、側面部２０５と上面部２０６との境界に沿って上方に折り返された状態となる。このとき、ホルダ２は、図６に示す状態となる。保護板支持部２５１は、図６に示す状態から、係止板２５３を支点にして回転するように左側に倒される。保護板支持部２５１は、上面部２０６と平行になるまで左側に倒される。このとき、保護板支持部２５１は、上面部２０６から左側に突出した状態となる。この状態で、保護板２５２は、保護板支持部２５１から上方に引き出される。保護板２５２は、係止板２５４を支点にして回転するように左側に折り返される。保護板２５２は、保護板支持部２５１と平行になるまで左側に折り返される。その結果、保護板２５２は、保護板支持部２５１から左側に突出した状態となる。保護板支持部２５１は、前後方向における中央部に相当する部分が保護板２５２の形状に開口された状態となる。このとき、ホルダ２は、図７に示す状態となる。図７に示す状態において、保護板２５２は、保護板支持部２５１の上に重なる。図７に示す状態のホルダ２において、上面部２０６の右端から保護板２５２の先端までの左右方向における寸法を「長さＬ」という。長さＬは、保護板支持部２５１及び保護板２５２を左右方向に突出させたときの保護板２５２の先端から側面部２０５と上面部２０６との境界までの寸法である。
【００４２】
包装作業におけるホルダ２の配置の仕方について説明する。ホルダ２は、図６に示す状態に組み立てられる。左右一対のホルダ２は、図６に示す状態で外箱３の胴部３ａの内部に配置される。左側のホルダ２は、側面部２０５が胴部３ａの左側の内壁に接するように外箱３の内部に配置される。右側のホルダ２は、側面部２０５が胴部３ａの右側の内壁に接するように外箱３の内部に配置される。つまり、左右一対のホルダ２は、上方に折り返された保護板支持部２５１同士が対向するように外箱３の内部に配置される。
【００４３】
ホルダ２が外箱３の内部に配置された際に、ホルダ２には、胴部３ａが突起２５６を押し潰すような力が作用する。このとき、外箱３には、突起２５６の弾性力により胴部３ａを外側に押す力が作用する。この外側に押す力により、ホルダ２は、外箱３の胴部３ａの内部に弾性的に固定される。
【００４４】
外箱３の胴部３ａの内部に収納された換気空清機１の上面には、取扱説明書５が載置される。取扱説明書５が載置された後、左右一対のホルダ２の保護板支持部２５１及び保護板２５２は、図７に示す状態となるように屈曲される。右側の保護板支持部２５１は、上面部２０６と平行になるまで左側に倒される。左側の保護板支持部２５１は、上面部２０６と平行になるまで右側に倒される。右側の保護板２５２は、右側の保護板支持部２５１と平行になるまで左側に折り返される。左側の保護板２５２は、左側の保護板支持部２５１と平行になるまで右側に折り返される。
【００４５】
図８は、本実施の形態における包装体で被包装物を包装した状態におけるホルダ２と被包装物との位置関係を示した斜視図である。図８において、外箱３は破線で示されている。図８において、保護シート４及び保護シート５ａは一点鎖線で示されている。
【００４６】
図８に示す状態において、右側のホルダ２の側面部２０５は、胴部３ａの右側の内壁に接している。左側のホルダ２の側面部２０５は、胴部３ａの左側の内壁に接している。側面部２０５の前端に設けられた突起２５６は、胴部３ａの前側の内壁に接している。側面部２０５の後端に設けられた突起２５６は、胴部３ａの後側の内壁に接している。ホルダ２は、外箱３の胴部３ａとほぼ同じ高さに形成されている。
【００４７】
図８に示す状態において、ホルダ２の下方支持部２０２は、換気空清機１の底面を支持する。ホルダ２の側方支持部２０９は、換気空清機１の左側面又は右側面を支持する。ホルダ２の第１の内壁２０７ａ及び第２の内壁２０７ｂの内側の端部は、換気空清機１の前面又は後面を支持する。このようにして、一対のホルダ２は、換気空清機１を支持固定する。
【００４８】
図８に示す状態において、保護板支持部２５１及び保護板２５２は、換気空清機１よりも上側に位置している。天内フラップ３ｄは、保護板支持部２５１及び保護板２５２よりも上側に位置している。天外フラップ３ｅは、天内フラップ３ｄよりも上側に位置している。一対の天外フラップ３ｅの突合せ部は、左右方向に沿って直線状に形成されている。天外フラップ３ｅの突合せ部が形成する直線は、保護板２５２の前後方向における中心を通る左右方向に沿った直線と一致する。左側のホルダ２の係止板２５４は、左側の天内フラップ３ｄの先端よりも左側に位置している。右側のホルダ２の係止板２５４は、右側の天内フラップ３ｄの先端よりも右側に位置している。つまり、保護板２５２の一部分は、天内フラップ３ｄの下に位置している。そして、左側の保護板２５２の先端は、右側の保護板２５２の先端と接している。つまり、左右方向において、左側の天内フラップ３ｄの先端から右側の天内フラップ３ｄの先端までの範囲では、天外フラップ３ｅの突合せ部の真下に保護板２５２が位置している。また、保護板支持部２５１の前後方向における中央部に相当する開口された部分は、天内フラップ３ｄの真下に位置している。
【００４９】
換気空清機１を包装した包装体は、客先等において開梱される。包装体の開梱時には、天外フラップ３ｅの突合せ部を閉じている粘着テープ等が、一般にカッターナイフ等を用いて切り裂かれる。この際、粘着テープ等は、例えば、天外フラップ３ｅの突合せ部に沿って切り裂かれる。
【００５０】
本実施の形態では、ホルダ２は、保護板支持部２５１及び保護板２５２を備えている。保護板支持部２５１は、上面部２０６の前後方向における中央部と連続している。保護板支持部２５１は、左右方向において前記第１の内壁２０７ａ及び前記第２の内壁２０７ｂの側に突出している。保護板２５２は、保護板支持部２５１の前後方向における中央部と連続している。保護板２５２は、左右方向において保護板支持部２５１の突出方向と同じ方向に突出している。包装体は、外箱３の内部に配置された一対のホルダ２を備えている。一対のホルダ２のうち、右側のホルダ２は、側面部２０５が外箱３の右側の内壁に接するように配置されている。左側のホルダ２は、側面部２０５が外箱３の左側の内壁に接するように配置されている。右側のホルダ２の保護板２５２の先端は、左側のホルダ２の保護板２５２の先端と接している。包装体において、保護板２５２は、天外フラップ３ｅの突合せ部の真下に位置する。つまり、包装体で包装された換気空清機１の上面のうち、天外フラップ３ｅの突合せ部の真下の部分は、天内フラップ３ｄ又は保護板２５２の少なくとも一方により保護されている。このため、カッターナイフ等による包装体の開梱作業において、カッターナイフ等の先端が換気空清機１の上面に当たることがない。その結果、本実施の形態によれば、包装体の開梱作業における換気空清機１の損傷を防止するホルダを得ることができる。
【００５１】
本実施の形態では、ホルダ２は、１枚の板紙を罫線に沿って屈曲させることにより組み立てられている。保護板支持部２５１は、板紙のうち側面部２０５の前後方向における中央部に相当する部分を折り返して形成されている。保護板２５２は、板紙のうち保護板支持部２５１の前後方向における中央部に相当する部分を折り返して形成されている。つまり、保護板支持部２５１及び保護板２５２は、ホルダ２と一体に形成されている。このため、別部材からなる保護材を用いることなく、換気空清機１を保護することができる。その結果、包装コストを大幅に削減することができる。また、包装材料を削減し、環境に配慮した包装体を実現することができる。
【００５２】
本実施の形態では、保護板支持部２５１は、側面部２０５と上面部２０６との境界で上面部２０６と連続している。保護板支持部２５１は、板紙を当該境界に沿って折り返して形成されている。つまり、保護板支持部２５１は、ホルダ２を立体的に組み立てるために必要な谷折り罫線２２５を利用して形成されている。このため、保護板支持部２５１を形成するための新たな罫線を板紙に設ける必要がない。その結果、簡単な構成で、包装体の開梱作業における換気空清機１の損傷を防止することができる。
【００５３】
本実施の形態では、ホルダ２は、側面部２０５の前端及び後端に突起２５６を備えている。ホルダ２は、突起２５６を備えることにより、外箱３の胴部３ａの内部に弾性的に固定される。このため、換気空清機１を外箱３の内部に収納する際に換気空清機１が外箱３又はホルダ２に接触しても、ホルダ２が容易に転倒することがない。その結果、換気空清機１の包装作業の作業性を向上することができる。
【００５４】
本実施の形態では、ホルダ２は、側面部２０５に抜き穴２５５を備えている。これにより、保護板支持部２５１を側面部２０５から容易に引き出すことができる。
【００５５】
本実施の形態では、一対のホルダ２を備えた包装体において、左側のホルダ２の側面部２０５は、胴部３ａの左側の内壁に接している。右側のホルダ２の側面部２０５は、胴部３ａの右側の内壁に接している。側面部２０５の前端に設けられた突起２５６は、胴部３ａの前側の内壁に接している。側面部２０５の後端に設けられた突起２５６は、胴部３ａの後側の内壁に接している。ホルダ２は、外箱３の胴部３ａとほぼ同じ高さに形成されている。このため、ホルダ２の位置が前後左右及び上下にずれることを防止できる。その結果、安定的に換気空清機１を緩衝保護することができる。
【００５６】
図９は、本実施の形態におけるホルダ２の保護板支持部２５１及び保護板２５２を左右方向に折り返した状態の他の例を示す斜視図である。図９は、図７に示す状態とは反対側に保護板２５２を折り返した状態を示している。この場合、保護板２５２は、保護板支持部２５１が上面部２０６から左側に突出した状態で、保護板支持部２５１から下方に押し出される。この状態で、保護板２５２は、係止板２５４を支点にして図７の場合とは逆に回転するように左側に折り返される。保護板２５２は、保護板支持部２５１と平行になるまで左側に折り返される。その結果、保護板２５２は、保護板支持部２５１から左側に突出した状態となる。図９に示す状態において、保護板２５２は、保護板支持部２５１の下に重なる。
【００５７】
保護板２５２は、図９に示すように、保護板支持部２５１の下に重なるように折り返してもよい。この場合、上面部２０６と天外フラップ３ｅとの間で保護板２５２及び保護板支持部２５１が占める高さが少なくなる。このため、包装作業において、天内フラップ３ｄ及び天外フラップ３ｅが閉じ難くなることを防止できる。
【００５８】
本実施の形態において、長さＬは、一対のホルダ２が外箱３の内部に配置されたときに、それぞれの保護板２５２の先端同士が接する値である。長さＬは、２つの保護板２５２の先端同士が重なり合うこと及び２つの保護板２５２の先端の間に間隙が生じること等がない寸法公差範囲内に設定される。ただし、２つの保護板２５２の先端同士が重なり合ったとしても、本発明の効果が損なわれることはない。つまり、２つの保護板２５２が接している場合は、カッターナイフ等の先端から換気空清機１の上面を保護することができる。また、２つの保護板２５２の先端の間に間隙が生じたとしても、当該間隙がカッターナイフ等の刃を通さない程度に小さいものであれば、本発明の効果が損なわれることはない。
【００５９】
本実施の形態におけるホルダ２を形成する板紙は、例えば、段ボールでもよい。また、板紙に設けられた谷折り罫線２２１等は、１０ｍｍ又は２０ｍｍの間隔で罫線と切り込みを交互に設けたリード罫と呼ばれる罫線でもよい。
【００６０】
実施の形態１に記載の突起２５６は、保護板支持部２５１及び保護板２５２を備えないホルダ２に設けてもよい。この場合も、ホルダ２を外箱３の胴部３ａの内部に弾性的に固定する効果が得られる。
【００６１】
実施の形態１に記載のホルダ２は、組み立てられる前は平板である。このため、組み立てられる前のホルダ２は、包装材料として運搬及び納入する際に嵩張らない。その結果、ホルダ２を効率的に輸送及び保管することができる。
【００６２】
実施の形態１に記載のホルダ２は、板紙のみで形成されているため、リサイクルが容易である。このため、ホルダ２は、使用後に廃棄処理する必要がない。その結果、自然環境に与える影響を最小限に抑制することができる。
【００６３】
なお、実施の形態１に記載の包装体により包装される被包装物は、換気空清機１に限定されるものではない。例えば、空気調和機、除湿機及び脱臭装置等の電気機器を包装体で包装することで電気機器包装体を形成してもよい。また、包装体は、電気機器以外の一般的な被包装物の包装に用いることもできる。このため、本発明によれば、電気機器及び一般的な被包装物を緩衝保護することができる。
【符号の説明】
【００６４】
１  換気空清機、２  ホルダ、３  外箱、３ａ  胴部、３ｂ  底内フラップ、３ｃ  底外フラップ、３ｄ  天内フラップ、３ｅ  天外フラップ、４  保護シート、５  取扱説明書、５ａ  保護シート、２０１  第１の垂直部、２０２  下方支持部、２０３  第２の垂直部、２０４  底面部、２０５  側面部２０５、２０６  上面部、２０６ａ  第１の上面突出部、２０６ｂ  第２の上面突出部、２０７ａ  第１の内壁、２０７ｂ  第２の内壁、２０８  内壁下部、２０９  側方支持部、２１０  水平受け部、２１１  スリット、２１２  差込部、２１３ａ，２１３ｂ，２７３，２７４，２７５，２７７，２７８，２７９，２８０  切り込み、２２１，２２２，２２３，２２４，２２５，２２６ａ，２２６ｂ，２２７，２２８，２２９，２７６  谷折り罫線、２５１  保護板支持部、２５２  保護板、２５３，２５４  係止板、２５５  抜き穴、２５６  突起、２６１  矩形スリット、２６２  差込部、２７１  第１のＵ字状切り込み、２７２  第２のＵ字状切り込み
【図１】
0006052202.tif 000002
【図２】
0006052202.tif 000003
【図３】
0006052202.tif 000004
【図４】
0006052202.tif 000005
【図５】
0006052202.tif 000006
【図６】
0006052202.tif 000007
【図７】
0006052202.tif 000008
【図８】
0006052202.tif 000009
【図９】
0006052202.tif 000010